(57)【特許請求の範囲】
【請求項１】
座部又は脚部から立ち上がった支持部に対して肘掛け部が高さ調節可能且つ角度調節可能な椅子の肘掛け装置であって、支持部に肘掛け部を所定高さに係合保持し且つ操作部材の変位によって係合を係脱すべく、支持部を支持アームと昇降体とより形成し、支持アームの上端部に有する支持管内に肘掛け部の固定部分に固着した昇降体を構成する昇降杆を上下移動可能に且つ上方弾性付勢して配し、該支持管の側面中央部に沿って縦孔を形成し且つ該縦孔の前縁に一定間隔毎に係合凹部を形成し、前記昇降杆の上下中央部に前記操作部材を構成する操作杆の中央部を支軸にて枢着し、前記縦孔と昇降杆の下部に形成した横長孔とを貫通し且つ係合凹部に係合可能な係合ピンを前記操作杆の下端に遊嵌してなる高さ調節機構を備えるとともに、支持部の上端に設けた肘掛け部を所定角度に係合保持し且つ該肘掛け部を前方向に弾性付勢力に抗して移動させることによって係合を解除する角度調節機構を備え、前記高さ調節機構の操作部材を前記角度調節機構の移動部分に連係させ、肘掛け部を前方向に移動させることで高さ調節と角度調節とを行えるとともに、後方向に復帰させることで設定高さと設定角度を維持してなることを特徴とする椅子の肘掛け装置。
【請求項２】
前記支持管の上端に合成樹脂製のキャップを外嵌し、前記昇降杆を該キャップの中央部に開設した摺動孔に上下スライド可能に嵌挿するとともに、該昇降杆の下端に嵌着した合成樹脂製のスライダーを前記支持管内に上下スライド可能に嵌挿し、支持管内であって前記キャップとスライダー間に引張りコイルばねを介装し、常時昇降杆が上昇するように弾性付勢してなる請求項１記載の椅子の肘掛け装置。
【発明の詳細な説明】
【０００１】
【発明の属する技術分野】
本発明は、椅子の肘掛け装置に係わり、更に詳しくは肘掛け部が高さ調節可能且つ角度調節可能な椅子の肘掛け装置に関する。
【０００２】
【従来の技術】
従来、椅子の肘掛け部が座部又は脚部から立ち上がった支持部に対して高さ調節可能なものは既に提供されている。そして、肘掛け部の高さ調節機構としては、支持部を外杆と内杆とで伸縮自在に構成するとともに、固定側の杆体に上下方向に一定間隔毎に係合孔を形成し、可動側の杆体から出没する係合爪を前記係合孔に係脱することによって多段階で高さ調節するもの、あるいは支持部内に配したガスシリンダーにて肘掛け部を無段階で高さ調節するものがあり、係合爪を出没操作する操作部材あるいはガスシリンダーを制御する操作部材を肘掛け部の内部又は近傍に配したレバーに連動させた構造が存在する。
【０００３】
一方、支持部に対して肘掛け部が角度調節可能なものも既に提供されている。そして、肘掛け部の角度調節機構としては、支持部の上端に肘掛け部の中央部を傾動可能に枢着するとともに、支持部の前後一端部に複数の係合凹部を上下方向に所定間隔で形成し、該係合凹部に肘掛け部の前後一端部に突設した突起を弾性的に嵌合して角度調節するものがあり、それを操作するための部分又はレバーを肘掛け部に設けた構造が存在する。
【０００４】
また、肘掛け部が高さ調節可能であるとともに、角度調節可能であるものも存在する。この場合、高さ調節機構と角度調節機構とは全く独立した機構となっており、それぞれを操作するためのレバーが肘掛け部又はその近傍に設けられている。従って、肘掛け部の高さと角度を共に調節する場合には、それぞれのレバーを操作しなければならず、その操作が非常に手間であるばかりでなく、レバーが露出しているので外観性を損なうといった問題も有する。また、肘掛け部の高さ及び角度を調節する場合には、肘から先の腕を肘掛け部から離して行わなければならないので、調節した後に肘掛け部に腕を乗せて調節具合を確かめ、具合が悪ければ再度調節する必要があった。あるいは、肘掛け部に乗せた腕とは反対側の手で調節を行っていたので、操作に無理があった。
【０００５】
【発明が解決しようとする課題】
本発明が前述の状況に鑑み、解決しようとするところは、肘掛け部が高さ調節可能且つ角度調節可能な椅子の肘掛け装置において、高さ及び角度の調節用のレバーを一切設けず、しかも肘から先の腕を肘掛け部に乗せたまま、一連の簡単な操作で肘掛け部の高さと角度を同時に調節することができるようになした椅子の肘掛け装置を提供する点にある。
【０００６】
【課題を解決するための手段】
本発明は、前述の課題解決のために、座部又は脚部から立ち上がった支持部に対して肘掛け部が高さ調節可能且つ角度調節可能な椅子の肘掛け装置であって、支持部に肘掛け部を所定高さに係合保持し且つ操作部材の変位によって係合を係脱すべく、支持部を支持アームと昇降体とより形成し、支持アームの上端部に有する支持管内に肘掛け部の固定部分に固着した昇降体を構成する昇降杆を上下移動可能に且つ上方弾性付勢して配し、該支持管の側面中央部に沿って縦孔を形成し且つ該縦孔の前縁に一定間隔毎に係合凹部を形成し、前記昇降杆の上下中央部に前記操作部材を構成する操作杆の中央部を支軸にて枢着し、前記縦孔と昇降杆の下部に形成した横長孔とを貫通し且つ係合凹部に係合可能な係合ピンを前記操作杆の下端に遊嵌してなる高さ調節機構を備えるとともに、支持部の上端に設けた肘掛け部を所定角度に係合保持し且つ該肘掛け部を前方向に弾性付勢力に抗して移動させることによって係合を解除する角度調節機構を備え、前記高さ調節機構の操作部材を前記角度調節機構の移動部分に連係させ、肘掛け部を前方向に移動させることで高さ調節と角度調節とを行えるとともに、後方向に復帰させることで設定高さと設定角度を維持してなる椅子の肘掛け装置を構成した。
【０００７】
また、前記支持管の上端に合成樹脂製のキャップを外嵌し、前記昇降杆を該キャップの中央部に開設した摺動孔に上下スライド可能に嵌挿するとともに、該昇降杆の下端に嵌着した合成樹脂製のスライダーを前記支持管内に上下スライド可能に嵌挿し、支持管内であって前記キャップとスライダー間に引張りコイルばねを介装し、常時昇降杆が上昇するように弾性付勢してなることが好ましい。
【０００８】
【発明の実施の形態】
次に本発明の実施形態を添付図面に基づき更に詳細に説明する。図１は本発明に係る椅子を示し、図２〜図８は本発明の実施形態の要部を示し、図中１は椅子の脚部、２は座部、３は背凭れ部、４は肘掛け装置、５は支持部、６は肘掛け部をそれぞれ示している。
【０００９】
本発明の実施形態に係る肘掛け装置４は、座部２又は脚部１から立ち上がった支持部５に対して肘掛け部６を高さ調節可能且つ角度調節可能に設けたものである。前記支持部５は、座部２に固定した支持アーム７の上部に、中空状の昇降体８を上下スライド可能に外嵌した構造を有する。そして、前記支持アーム７と昇降体８との間には、支持アーム７に対して昇降体８の高さを調節し且つその高さを維持するための高さ調節機構が設けられている。また、前記昇降体８の上端には、角度調節機構を構成する固定部材９が固着されており、同様に角度調節機構を構成する肘掛け部６の補強を兼ねた傾動部材１０が前記固定部材９に対して角度調節可能に取付けている。
【００１０】
先ず、本発明の肘掛け装置４の高さ調節機構を図２〜図７に基づいて説明する。前記支持部５を構成する支持アーム７の上端部には、断面長方形状の筒状の支持管１１を長辺が椅子の前後方向に配向するように固定し、該支持管１１の上端には合成樹脂製のキャップ１２を外嵌している。そして、昇降体８を構成する厚肉長尺板状の昇降杆１３の上端に固定部材９を固着し、該昇降杆１３を前記キャップ１２の中央部に開設した摺動孔１４に上下スライド可能に嵌挿するとともに、該昇降杆１３の下端に嵌着した合成樹脂製のスライダー１５を前記支持管１１内に上下スライド可能に嵌挿している。また、前記支持管１１の内部であって、前記キャップ１２とスライダー１５間には、前記昇降杆１３を前後に挟んだ位置に引張りコイルばね１６，１６を介装し、常時昇降杆１３が上昇するように弾性付勢している。具体的には、キャップ１２に設けた係止部１２Ａ，１２Ａと、スライダー１５に設けた係止部１５Ａ，１５Ａとにそれぞれ引張りコイルばね１６の両端のフック部１６Ａ，１６Ａを係止している。
【００１１】
そして、前記支持管１１に対して昇降杆１３を所定高さ位置に係合保持し且つ操作部材１７の変位によって係合を係脱して高さ調節可能とするために、前記支持管１１の長辺側一側面１１Ａの中央部であって、略全長にわたって内向きに突出形成した凸台１１Ｃに沿って上下方向に縦孔１８を形成するとともに、該縦孔１８の前縁に一定間隔毎に係合凹部１９，…を形成し、該係合凹部１９とは反対側の前記昇降杆１３の側面の上下中央部に操作部材１７を構成する操作杆２０の中央部を支軸２１にて枢着するとともに、該操作杆２０の下端に形成した下向きＵ字溝２２内に、前記縦孔１８を貫通し且つ昇降杆１３の下部に形成した横長孔２３を貫通した係合ピン２４の端部を位置させている。この係合ピン２４は、軸部２４Ａの直径が前記縦孔１８の横幅よりも若干小さく、一端に該縦孔１８を通過しない頭部２４Ｂを有するとともに、他端にＵ字溝２２の外周に当止して抜止めするためのＥリング２５を嵌着する嵌合溝２４Ｃを形成したものである。ここで、前記支持管１１の他側面１１Ｂの上部には、前記係合ピン２４にＥリング２５を嵌合するための作業用開口２６を形成している。また、前記キャップ１２には、前記操作杆２０を挿通し且つ該操作杆２０の前後変位が可能なように摺動孔１４に連続して挿通孔２７を形成している。
【００１２】
ここで、前記支持管１１は、本実施形態では断面長方形状の筒状のものを示したが、他側面１１Ｂの作業用開口２６が全長に形成された断面略Ｃ字形の筒状部材であっても良い。また、前記縦孔１８と係合凹部１９，…とを、断面長方形状の筒状の支持管１１の両側面１１Ａ，１１Ｂの中央部に沿って形成し、前記昇降杆１３を断面略コ字形に形成し、その両対向板間のスリット状の溝内に前記同様の操作杆２０を回動可能に内装し、昇降杆１３の両対向板に前記同様に横長孔２３を形成し、前記両縦孔１８，１８及び横長孔２３，２３並びに操作杆２０のＵ字溝２２を貫通させて係合ピン２４を配設しても良い。尚、前記支持管１１は、前記支持アーム７の上端部の角筒部に内嵌し且つ固着されている。
【００１３】
この高さ調節機構においては、前記操作部材１７としての操作杆２０の上端を前後に変位させることによって、支軸２１を中心として下端が前後逆に変位し、Ｕ字溝２２に係合した係合ピン２４が横長孔２３内を移動し、該係合ピン２４が前記縦孔１８に位置する高さ調節可能な状態（図３参照）と、係合凹部１９に係合した高さ維持状態（図２参照）とを実現するのである。ここで、前記係合ピン２４は、前記係合凹部１９に係合する方向にキックばね等のばね体によって直接的又は間接的に弾性付勢することも好ましい。
【００１４】
次に、肘掛け部６の角度調節機構を図２〜図４、図８に基づいて説明する。前記昇降杆１３の上端に固定した固定部材９は、下方開放した断面略コ字形の部材であり、上面となる基板２８の両側に支持板２９，２９を垂下し、基板２８の一側端には前記昇降杆１３の上端を受け入れて溶着するための固定穴３０を形成し、また両支持板２９，２９の後部には若干前上がりの長孔３１，３１を形成するとともに、該長孔３１の延長線上の前部に若干横長の通孔３２，３２を形成したものである。そして、前記肘掛け部６の補強部材を兼ねた傾動部材１０は、両保持板３３，３３の前後上縁を連結板３４，３４で連続させた形状で、両保持板３３，３３間に前記固定部材９を収容できるようになっており、両保持板３３，３３の後部寄りには軸孔３５，３５を形成するとともに、前部寄りには該軸孔３５を中心とした円弧を有する円弧孔３６を形成し且つ該円弧孔３６の前縁には、前記軸孔３５を中心に放射状に延びた係合溝３７，…を複数、本実施形態では上下に４つ形成している。
【００１５】
そして、前記固定部材９を前記傾動部材１０の内部に収容した状態で、該固定部材９の軸孔３５，３５と傾動部材１０の長孔３１，３１とに支軸３８を貫通し、適宜な抜止め手段を講じて互いに連結するとともに、前記円弧孔３６，３６又は係合溝３７，３７と通孔３２，３２とに係合軸３９を貫通し、同様に適宜な抜止め手段を講じて互いに連結する。また、前記傾動部材１０の両保持板３３，３３の前端部間であって前記係合溝３７よりも前方位置に設けた係止ピン４０と、前記係合軸３９との間に引張りコイルばね４１を介装して、固定部材９に対して傾動部材１０を後方へ弾性付勢している。
【００１６】
更に、前記傾動部材１０の一方の保持板３３の中央部には、内方へ向けて肘掛け部６の前後方向に所定間隔を設けて一対のピン４２，４２を突設し、両ピン４２，４２の間に前記操作杆２０の上端を位置させている。尚、前記ピン４２，４２に対応する固定部材９の一方の支持板２９の下縁に切欠部４３を形成して、前記ピン４２の前後移動を可能にしている。また、前記傾動部材１０は、肘掛け部６の外形を形成する合成樹脂製の化粧カバー４４で覆われ、また前記支持管１１及び昇降杆１３は、上端が前記固定部材９に固定された二つ割りの合成樹脂製化粧カバー４５で覆われ、該化粧カバー４５は下部が前記支持アーム７の上部にスライド可能に外嵌している。
【００１７】
尚、本実施形態では、固定部材９を下向き断面コ字形となし、前記傾動部材１０の内部に収容した構造となしたが、固定部材９を上向き断面コ字形となし、該固定部材９の内部に前記傾動部材１０を収容し、前記軸孔３５，３５を固定部材９の両支持板２９，２９に形成するとともに、前記長孔３１，３１を傾動部材１０の両保持板３３，３３に形成しても良い。この場合、更に、前記傾動部材１０に一対のピン４２，４２を突設し、両ピン４２，４２の間に操作杆２０の上端を受け入れる代わりに、傾動部材１０の両保持板３３，３３に操作ピンを貫通保持するとともに、固定部材９の基板２８の開口を貫通した操作杆２０の上部に形成した縦長孔に前記操作ピンを挿通して、傾動部材１０の前方移動に伴って操作杆２０を支軸２１を中心に傾動させても良い。そして、前記昇降杆１３の上端は、前記固定部材９の下端に位置する基板２８の下面に溶着しても良い。
【００１８】
ここで、通常の状態では、前記引張りコイルばね４１の弾性付勢力によって傾動部材１０は最も後方位置にあり、前記支軸３８が長孔３１の後端に位置し、何れかの前記係合溝３７の前端に係合軸３９が位置している（図２参照）。そして、前記肘掛け部６、即ち傾動部材１０を引張りコイルばね４１の弾性付勢力に抗して前方へ移動させると、傾動部材１０に固定された支軸３８が固定部材９の長孔３１に沿って前方へスライド移動するとともに、前記固定部材９の通孔３２によって移動量が規制された係合軸３９に対して係合溝３７が前方へスライド移動し、該係合軸３９が円弧孔３６に至るまで移動する（図３参照）。この傾動部材１０の前方移動に伴って、前記両ピン４２，４２の間に位置した操作杆２０の上端部は、前方へ押されて前記支軸２１を中心として該操作杆２０の下端部は後方へ移動し、前記係合ピン２４が係合凹部１９から外れて縦孔１８に位置する（図３参照）。この状態で、肘掛け部６、即ち傾動部材１０の前部を持ち上げたり、押し下げたりすることによって、前記支軸３８に対して肘掛け部６の上下角度を調節することができるとともに、前記支持アーム７に対して昇降体８を上下高さ調節することができ、肘掛け部６を所定の角度及び所定の高さに設定した後に、前記引張りコイルばね４１の弾性付勢力によって肘掛け部６、即ち傾動部材１０を後方へ移動させると、何れかの係合溝３７に係合軸３９が係合して設定角度が維持されると同時に、何れかの係合凹部１９に係合ピン２４が係合して設定高さが維持される。
【００１９】
尚、肘掛け部６を後方へ移動させて高さ調節機構の係合を解除する構造のものは、背凭れ部３に凭れ掛かった状態から起き上がる際に、また椅子から立ち上がる際にも、肘掛け部６を後方へ力を入れて引っ張る動作を伴うので、不意に係合が解除される恐れがあり、そのため肘掛け部６は前方へ移動させて高さ調節機構及び角度調節機構の係合を解除する構造が好ましいのである。
【００２０】
【発明の効果】
以上にしてなる本発明の椅子の肘掛け装置は、肘から先の腕を肘掛け部に乗せたまま、両側の肘掛け部をそれぞれの手で持って前方へスライド移動させるといった一連の簡単な操作で肘掛け部の高さと角度を調節することができる。例えば、机天板に載置したワープロやパソコンのキーボードを操作する場合、肘掛け部の手口の高さを机天板と略同じ高さに設定して肘掛け部の前端上面を机天板の手前縁に連続させて手首部分の安楽な支持状態を実現した場合でも、肘掛け部に角度をつけることによって、肩から肘までの最適距離を確保できるのである。また、高さ及び角度の調節用のレバーを一切設けず、肘掛け部自体を従来の操作レバーのように利用することができるので、外観性にも優れたものとなる。更に、高さ調節機構が簡単且つ信頼性が高く、耐久性の高い構造であるので、コスト上昇を抑制しつつ、肘掛け部の姿勢を最適に調節できる肘掛け装置を提供できるのである。
【図面の簡単な説明】
【図１】本発明の肘掛け装置を適用した椅子の側面図である。
【図２】本発明の実施形態に係る肘掛け装置の要部の縦断面図である。
【図３】同じく肘掛け部が前方へ移動した高さ調節可能な状態を示す要部の縦断面図である。
【図４】同じく分解斜視図である。
【図５】同じく組立状態の要部の斜視図である。
【図６】図２のＸ１−Ｘ１線断面図である。
【図７】図２のＸ２−Ｘ２線断面図である。
【図８】肘掛け部の省略横断面図である。
【符号の説明】
１  脚部                  ２  座部
３  背凭れ部              ４  肘掛け装置
５  支持部                ６  肘掛け部
７  支持アーム            ８  昇降体
９  固定部材              １０  傾動部材
１１  支持管（支持アーム）１２  キャップ
１３  昇降杆（昇降体）    １４  摺動孔
１５  スライダー          １６  引張りコイルばね
１７  操作部材            １８  縦孔
１９  係合凹部            ２０  操作杆（操作部材）
２１  支軸                ２２  Ｕ字溝
２３  横長孔              ２４  係合ピン
２５  Ｅリング            ２６  作業用開口
２７  挿通孔              ２８  基板
２９  支持板              ３０  固定穴
３１  長孔                ３２  通孔
３３  保持板              ３４  連結板
３５  軸孔                ３６  円弧孔
３７  係合溝              ３８  支軸
３９  係合軸              ４０  係止ピン
４１  引張りコイルばね    ４２  ピン
４３  切欠部              ４４  化粧カバー
４５  化粧カバー（昇降体）
【図１】
0003637731.tif 000002
【図２】
0003637731.tif 000003
【図３】
0003637731.tif 000004
【図４】
0003637731.tif 000005
【図５】
0003637731.tif 000006
【図６】
0003637731.tif 000007
【図７】
0003637731.tif 000008
【図８】
0003637731.tif 000009